(57)【特許請求の範囲】
【請求項１】
ワイヤレスデバイスの省電力モードを選択するための方法であって、
ネットワークにおけるデータトラフィックを監視することと、
前記監視されたデータトラフィックに基づいて、低い総データトラフィックの期間を識別することと、
特定の種類のデータトラフィックが所定の継続時間の間に前記監視されたデータトラフィックにおいて観測されたかどうかを、低い総データトラフィックの前記識別された期間中に判定することと、
前記特定の種類のデータトラフィックが前記監視されたデータトラフィックにおいて観測されたかどうかを判定することに基づいて、第１の低電力状態または第２の低電力状態で動作するべきかどうかを決定することと
を備える方法。
【請求項２】
前記特定の種類のデータトラフィックが前記所定の継続時間の間に前記監視されたデータトラフィックにおいて観測されたかどうかを判定することは、
前記種類のデータトラフィックを識別するために、１つまたは複数のデータトラフィック接続識別（ＣＩＤ）を調べること
を備える、請求項１に記載の方法。
【請求項３】
前記第１の低電力状態は、前記ワイヤレスデバイスのうちの１つまたは複数のコンポーネントがパワーダウンされる低電力状態を備え、
前記第２の低電力状態は、前記第１の低電力状態においてパワーダウンされた前記１つまたは複数のコンポーネントに加えて、前記ワイヤレスデバイスのうちの１つまたは複数のコンポーネントがパワーダウンされる、前記第１の低電力状態よりも深い低電力状態を備える、
請求項１に記載の方法。
【請求項４】
前記特定の種類のデータトラフィックが、管理またはメンテナンス目的のどちらのためでもないトラフィックを備える、請求項１に記載の方法。
【請求項５】
前記特定の種類のデータトラフィックが前記監視されたデータトラフィックにおいて観測されたかどうかを判定することに基づいて、前記第１の低電力状態または前記第２の低電力状態で動作するべきかどうかを決定することは、
前記特定の種類のデータトラフィックが前記所定の継続時間の間に観測された場合に、前記第１の低電力状態で動作するように決定することか、または、
前記特定の種類のデータトラフィックが前記所定の継続時間の間に観測されない場合に、前記第２の低電力状態で動作するように決定すること、
を備える、請求項３に記載の方法。
【請求項６】
前記第１の低電力状態に入ることと、
前記第１の低電力状態に入る時にタイマを初期化することと、
前記監視されたデータトラフィックにおいて前記特定の種類のデータトラフィックを観測せずに前記タイマが終了した場合に、前記第２の低電力状態に入ることをトリガすることと
をさらに備える、請求項３に記載の方法。
【請求項７】
前記第１の低電力状態に入ることと、
前記第１の低電力状態と関連付けられたスリープウィンドウのサイズを追跡するためにカウンタを初期化することと、
前記カウンタが所定のしきい値に達した場合に前記第２の低電力状態に入ることをトリガすることと
をさらに備える、請求項３に記載の方法。
【請求項８】
前記スリープウィンドウの前記サイズが増加するごとに前記カウンタをインクリメントすることと、
前記スリープウィンドウの前記サイズが減少した場合に前記カウンタをゼロにリセットすることと
をさらに備える、請求項７に記載の方法。
【請求項９】
前記第１の低電力状態に入ることと、
前記第１の低電力状態と関連付けられた利用可能なウィンドウのサイズおよびスリープウィンドウの前記サイズに基づいてスリープ比率を判定することと、
前記スリープ比率がしきい値より大きいか等しい場合に、前記第２の低電力状態に入ることをトリガすることと
をさらに備える、請求項３に記載の方法。
【請求項１０】
ワイヤレスデバイスの省電力モードを選択するための装置であって、
ネットワークにおけるデータトラフィックを監視するための手段と、
前記監視されたデータトラフィックに基づいて、低い総データトラフィックの期間を識別するための手段と、
特定の種類のデータトラフィックが所定の継続時間の間に前記監視されたデータトラフィックにおいて観測されたかどうかを、低い総データトラフィックの前記識別された期間中に判定するための手段と、
前記特定の種類のデータトラフィックが前記監視されたデータトラフィックにおいて観測されたかどうかを判定することに基づいて、第１の低電力状態または第２の低電力状態で動作するべきかどうかを決定するための手段と
を備える装置。
【請求項１１】
前記特定の種類のデータトラフィックが前記所定の継続時間の間に前記監視されたデータトラフィックにおいて観測されたかどうかを判定するための前記手段は、
前記種類のデータトラフィックを識別するために、１つまたは複数のデータトラフィック接続識別（ＣＩＤ）を調べるための手段
を備える、請求項１０に記載の装置。
【請求項１２】
前記第１の低電力状態は、前記ワイヤレスデバイスのうちの１つまたは複数のコンポーネントがパワーダウンされる低電力状態を備え、
前記第２の低電力状態は、前記第１の低電力状態においてパワーダウンされた前記１つまたは複数のコンポーネントに加えて、前記ワイヤレスデバイスのうちの１つまたは複数のコンポーネントがパワーダウンされる、前記第１の低電力状態よりも深い低電力状態を備える、
請求項１０に記載の装置。
【請求項１３】
前記特定の種類のデータトラフィックが、管理またはメンテナンス目的のどちらのためでもないトラフィックを備える、請求項１０に記載の装置。
【請求項１４】
前記特定の種類のデータトラフィックが前記監視されたデータトラフィックにおいて観測されたかどうかを判定することに基づいて、前記第１の低電力状態または前記第２の低電力状態で動作するべきかどうかを決定するための前記手段は、
前記特定の種類のデータトラフィックが前記所定の継続時間の間に観測された場合に、前記第１の低電力状態で動作するように決定するための手段か、または、
前記特定の種類のデータトラフィックが前記所定の継続時間の間に観測されない場合に、前記第２の低電力状態で動作するように決定するための手段
を備える、請求項１２に記載の装置。
【請求項１５】
前記第１の低電力状態に入るための手段と、
前記第１の低電力状態に入る時にタイマを初期化するための手段と、
前記監視されたデータトラフィックにおいて前記特定の種類のデータトラフィックを観測せずに前記タイマが終了した場合に、前記第２の低電力状態に入ることをトリガするための手段と
をさらに備える、請求項１２に記載の装置。
【請求項１６】
前記第１の低電力状態に入るための手段と、
前記第１の低電力状態と関連付けられたスリープウィンドウのサイズを追跡するためにカウンタを初期化するための手段と、
前記カウンタが所定のしきい値に達した場合に前記第２の低電力状態に入ることをトリガするための手段と
をさらに備える、請求項１２に記載の装置。
【請求項１７】
前記スリープウィンドウの前記サイズが増加するごとに前記カウンタをインクリメントするための手段と、
前記スリープウィンドウの前記サイズが減少した場合に前記カウンタをゼロにリセットするための手段と
をさらに備える、請求項１６に記載の装置。
【請求項１８】
前記第１の低電力状態に入るための手段と、
前記第１の低電力状態と関連付けられた利用可能なウィンドウのサイズおよびスリープウィンドウの前記サイズに基づいてスリープ比率を判定するための手段と、
前記スリープ比率がしきい値より大きいか等しい場合に、前記第２の低電力状態に入ることをトリガするための手段と
をさらに備える、請求項１２に記載の装置。
【請求項１９】
ワイヤレスデバイスの省電力モードを選択するための装置であって、
ネットワークにおけるデータトラフィックを監視し、
前記監視されたデータトラフィックに基づいて、低い総データトラフィックの期間を識別し、
特定の種類のデータトラフィックが所定の継続時間の間に前記監視されたデータトラフィックにおいて観測されたかどうかを、低い総データトラフィックの前記識別された期間中に判定し、
前記特定の種類のデータトラフィックが前記監視されたデータトラフィックにおいて観測されたかどうかを判定することに基づいて、第１の低電力状態または第２の低電力状態で動作するべきかどうかを決定する
ように構成された少なくとも１つのプロセッサと、
前記少なくとも１つのプロセッサと結合されたメモリと
を備える装置。
【請求項２０】
命令を記憶したコンピュータ読取可能記憶媒体であって、前記命令が、
ネットワークにおけるデータトラフィックを監視し、
前記監視されたデータトラフィックに基づいて、低い総データトラフィックの期間を識別し、
特定の種類のデータトラフィックが所定の継続時間の間に前記監視されたデータトラフィックにおいて観測されたかどうかを、低い総データトラフィックの前記識別された期間中に判定し、
前記特定の種類のデータトラフィックが前記監視されたデータトラフィックにおいて観測されたかどうかを判定することに基づいて、第１の低電力状態または第２の低電力状態で動作するべきかどうかを決定する
ために１つまたは複数のプロセッサによって実行可能である、コンピュータ読取可能記憶媒体。
【発明の詳細な説明】
【技術分野】
【０００１】
[0001]  本開示のある特定の態様は、概して、ワイヤレス通信に関し、より具体的には、省電力モード（power saving modes）の使用を通したワイヤレスネットワークのエネルギー効率に関する。
【背景技術】
【０００２】
[0002]  ワイヤレス通信システムは、電話通信、映像、データ、メッセージング、およびブロードキャストのような、様々な電気通信サービスを提供するために幅広く展開されている。典型的なワイヤレス通信システムは、利用可能なシステムリソース（例えば、帯域幅、送信電力）を共有することによって、複数のユーザとの通信をサポートすることができる多元接続技術を用いうる。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００３】
[0003]  これらの多元接続技術は、異なるワイヤレスデバイスが、地方自治体レベル、全国レベル、地域レベル、および世界的レベルでも通信することを可能にする共通のプロトコルを提供するために、様々な電気通信規格において採用されている。新生の電気通信規格の１つの例はＬＴＥである。ＬＴＥは、第３世代パートナーシッププロジェクト（３ＧＰＰ）によって広められたユニバーサルモバイル電気通信システム（ＵＭＴＳ）のモバイル規格に対する改良（enhancement）のセットである。それは、スペクトル効率を改善することによってモバイルブロードバンドインターネットアクセスをより良くサポートし、コストを下げ、サービスを改善させ、新しいスペクトルを活用し、ダウンリンク（ＤＬ）上ではＯＦＤＭＡを、アップリンク（ＵＬ）上ではＳＣ−ＦＤＭＡを、そして多入力多出力（ＭＩＭＯ）アンテナ技術を使用して、他のオープン規格とより良く統合するように設計されている。しかしながら、モバイルブロードバンドアクセスに対する需要が増加し続けるにつれて、ＬＴＥ技術における更なる改良に対する必要性が存在する。望ましくは、これらの改良は、これらの技術を用いる電気通信規格および他の多元接続技術に適用可能であるべきである。
【発明の概要】
【０００４】
[0004]  本開示のある特定の態様は、ワイヤレス通信ネットワークにおける省電力モードを選択するための方法を提供する。この方法は、概して、ネットワークにおけるデータトラフィックを監視することと、低いデータトラフィックが観測された場合に、既定の継続時間の間に何らかのリアルデータトラフィック（real data traffic）があるかを判定することと、何らかのリアルデータトラフィックが既定の継続時間の間に観測された場合にスリープモードに入ることと、リアルデータトラフィックが既定の継続時間の間に何も観測されない場合に、アイドルモードに入ることとを含む。
【０００５】
[0005]  本開示のある特定の態様は、ワイヤレスデバイスの省電力モードを選択するための装置を提供する。この装置は、概して、ネットワークにおけるデータトラフィックを監視するための手段と、特定の種類のデータトラフィックが所定の継続時間の間に観測されたかを、低い総データトラフィック（low overall data traffic）の期間中に判定するための手段と、その判定に基づいて第１の低電力状態または第２の低電力状態に入ることをトリガすべきかどうかを決定するための手段とを含む。
【０００６】
[0006]  本開示のある特定の態様は、ワイヤレスデバイスの省電力モードを選択するための装置を提供する。この装置は、概して、ネットワークにおけるデータトラフィックを監視し、特定の種類のデータトラフィックが所定の継続時間の間に観測されたかを、低い総データトラフィックの期間中に判定し、その判定に基づいて第１の低電力状態または第２の低電力状態に入ることをトリガすべきかどうかを決定するように構成された少なくとも１つのプロセッサと、その少なくとも１つのプロセッサと結合されたメモリとを含む。
【０００７】
[0007]  本開示のある特定の態様は、記憶された命令を有するコンピュータ読取可能媒体を備えるコンピュータプログラム製品を提供する。その命令は、概して、ネットワークにおけるデータトラフィックを監視し、特定の種類のデータトラフィックが所定の継続時間の間に観測されたかを、低い総データトラフィックの期間中に判定し、その判定に基づいて第１の低電力状態または第２の低電力状態に入ることをトリガすべきかどうかを決定するために、１つまたは複数のプロセッサによって実行可能である。
【０００８】
[0008]  本開示の特徴が詳細に理解されるように、上記で簡単にまとめられたもののより具体的な説明が態様への参照によってなされ、その態様のいくつかは添付の図面に例示されている。しかしながら、添付の図面は本開示のある特定の典型的な態様のみを例示しており、したがって、その説明が他の同等に効果的な態様を認めうるため、その範囲を限定するものと考慮されるべきではないことに留意されたい。
【図面の簡単な説明】
【０００９】
【図１】[0009]  本開示のある特定の態様にしたがった、実例的なワイヤレス通信システムを例示する図。
【図２】[0010]  本開示のある特定の態様にしたがった、ワイヤレスデバイスにおいて利用されうる様々なコンポーネントを例示する図。
【図３】[0011]  本開示のある特定の態様にしたがった、直交周波数分割多重／直交周波数分割多元接続（ＯＦＤＭ／ＯＦＤＭＡ）技術を利用するワイヤレス通信システム内で使用されうる、実例的な送信機および実例的な受信機を例示する図。
【図４】[0012]  本開示のある特定の態様にしたがった、ワイヤレスネットワークにおける省電力モードを選択するための実例的な動作を例示する図。
【図５】[0013]  本開示のある特定の態様にしたがった、モバイル局の実例的なアクティビティを時間的に（in time）例示する図。
【図６】[0014]  本開示のある特定の態様にしたがった、ワイヤレスネットワークにおける省電力モードを選択するための実例的な動作を例示する図。
【詳細な説明】
【００１０】
[0015]  ある特定の態様は、図面を参照してここに説明され、ここでは、類似した参照数字が類似した要素を全体にわたって指すように使用される。以下の記述では、説明の目的のため、ある特定の態様の完全な理解を提供するために、多数の特定の詳細が述べられる。しかしながら、（１つまたは複数の）そのような態様が、これらの特定の詳細なしに実施されうることがありうる。他の事例では、周知の構造およびデバイスが、ある特定の態様を説明することを容易にするためにブロック図の形態で示される。
【００１１】
実例的なワイヤレス通信システム
[0016]  ここに説明される技法は、直交多重方式に基づく通信システムを含む様々なブロードバンドワイヤレス通信システムのために使用されうる。そのような通信システムの例は、直交周波数分割多元接続（ＯＦＤＭＡ）システム、シングルキャリア周波数分割多元接続（ＳＣ−ＦＤＭＡ）システムなどを含む。ＯＦＤＭＡシステムは、システム全体の帯域幅を複数の直交サブキャリアに分ける変調技法である直交周波数分割多重（ＯＦＤＭ）を利用する。これらのサブキャリアはまた、トーン、ビンなどとも呼ばれうる。ＯＦＤＭを用いると、それぞれのサブキャリアはデータと独立して変調されうる。ＳＣ−ＦＤＭＡシステムは、システムの帯域幅にわたって分散されるサブキャリア上で送信するためにインターリーブされたＦＤＭＡ（ＩＦＤＭＡ）を利用しうるか、隣接したサブキャリアのブロック上で送信するために局所化されたＦＤＭＡ（ＬＦＤＭＡ）を利用しうるか、または隣接したサブキャリアの複数のブロック上で送信するために拡張されたＦＤＭＡ（ＥＦＤＭＡ）を利用しうる。一般的に、変調シンボルは、周波数領域ではＯＦＤＭを用いて送られ、時間領域ではＳＣ−ＦＤＭＡを用いて送られる。
【００１２】
[0017]  直交多重方式に基づく通信システムの１つの例はＷｉＭＡＸシステムである。Worldwide Interoperability for Microwave Accessを表すＷｉＭＡＸは、長距離にわたって高スループットのブロードバンド接続を提供する規格ベースのブロードバンドワイヤレス技術である。今日、ＷｉＭＡＸの２つの主なアプリケーションがあり、それは、固定ＷｉＭＡＸとモバイルＷｉＭＡＸである。固定ＷｉＭＡＸアプリケーションは、例えば、自宅や会社へのブロードバンドアクセスを可能にする１対多地点（point-to-multipoint）である。モバイルＷｉＭＡＸは、ＯＦＤＭおよびＯＦＤＭＡに基づいており、ブロードバンドスピードでセルラネットワークの十分なモビリティを提供する。
【００１３】
[0018]  電気電子技術者協会（ＩＥＥＥ）８０２．１６は、固定およびモバイルのブロードバンドワイヤレスアクセス（ＢＷＡ）システムのためのエアインターフェースを定義づけるための新生の規格化団体である。これらの規格は、少なくとも４つの異なる物理層（ＰＨＹ）および１つの媒体アクセス制御（ＭＡＣ）層を定義づける。４つの物理層のうちのＯＦＤＭおよびＯＦＤＭＡ物理層は、それぞれ、固定およびモバイルのＢＷＡエリアで最も普及している。
【００１４】
[0019]  当業者が以下に続く詳細な説明から容易に理解することになるように、ここに提示される様々な概念は、ＷｉＭＡＸアプリケーションによく適している。しかしながら、これらの概念は、他の変調技法および多元接続技法を用いる他の電気通信規格に容易に拡張されうる。例として、これらの概念は、エボリューションデータ最適化（ＥＶ−ＤＯ）、またはウルトラモバイルブロードバンド（ＵＭＢ）に拡張されうる。ＥＶ−ＤＯおよびＵＭＢは、ＣＤＭＡ２０００ファミリの規格の一部として、第３世代パートナーシッププロジェクト２（３ＧＰＰ２）によって広められたエアインターフェース規格であり、モバイル局にブロードバンドインターネットアクセスを提供するためにＣＤＭＡを用いる。これらの概念はまた、広帯域ＣＤＭＡ（Ｗ−ＣＤＭＡ（登録商標））、およびＴＤ−ＳＣＤＭＡのようなＣＤＭＡの他の変形物を用いるユニバーサル地上無線アクセス（ＵＴＲＡ）、ＴＤＭＡを用いるモバイル通信のためのグローバルシステム（ＧＳＭ（登録商標））、ＯＦＤＭＡを用いる、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＬＴＥ、ＩＥＥＥ８０２．２０、およびフラッシュＯＦＤＭに拡張されうる。ＵＴＲＡ、Ｅ−ＵＴＲＡ、ＵＭＴＳ、ＬＴＥ、およびＧＳＭは、３ＧＰＰ団体からの文書において説明されている。ＣＤＭＡ２０００およびＵＭＢは、３ＧＰＰ２団体からの文書において説明されている。用いられる実際のワイヤレス通信規格および多元接続技術は、システムに課せられる特定の用途および全体的な設計の制約に依存するであろう。
【００１５】
[0020]  図１は、本開示のある特定の態様が用いられうるワイヤレス通信システム１００の例を例示する。ワイヤレス通信システム１００は、ブロードバンドワイヤレス通信システムでありうる。ワイヤレス通信システム１００は、多くのセル１０２に通信を提供し、セル１０２のうちのそれぞれは基地局１０４によってサービス提供される。基地局１０４は、ユーザ端末１０６と通信する固定局でありうる。基地局１０４は代わりとして、アクセスポイント、ノードＢ、またはいくつかの他の専門用語で称されうる。
【００１６】
[0021]  図１は、システム１００にわたって分散された様々なユーザ端末１０６を表す。ユーザ端末１０６は、固定（つまり、静止）、またはモバイルでありうる。ユーザ端末１０６は代わりとして、遠隔局、アクセス端末、端末、加入者ユニット、モバイル局、局、ユーザ機器、などと称されうる。ユーザ端末１０６は、セルラ電話、携帯情報端末（ＰＤＡ）、ハンドヘルド型デバイス、ワイヤレスモデム、ラップトップ型コンピュータ、パーソナルコンピュータなどのようなワイヤレスデバイスなどでありうる。
【００１７】
[0022]  様々なアルゴリズムおよび方法は、基地局１０４およびユーザ端末１０６間のワイヤレス通信システム１００における伝送のために使用されうる。例えば、信号は、ＯＦＤＭ／ＯＦＤＭＡ技法にしたがって、基地局１０４およびユーザ端末１０６間で送られ、かつ受信されうる。この場合には、ワイヤレス通信システム１００はＯＦＤＭ／ＯＦＤＭＡシステムと称されうる。
【００１８】
[0023]  基地局１０４からユーザ端末１０６までの伝送を容易にする通信リンクはダウンリンク１０８と称され、ユーザ端末１０６から基地局１０４までの伝送を容易にする通信リンクはアップリンク１１０と称されうる。代わりとして、ダウンリンク１０８は順方向リンクまたは順方向チャネルと称され、アップリンク１１０は逆方向リンクまたは逆方向チャネルと称されうる。
【００１９】
[0024]  セル１０２は複数のセクタ１１２に分割されうる。セクタ１１２はセル１０２内の物理的なカバレージエリア（coverage area）である。ワイヤレス通信システム１００内の基地局１０４は、セル１０２の特定のセクタ１１２内の電力の流れを集めるアンテナを利用しうる。そのようなアンテナは指向性アンテナと称されうる。
【００２０】
[0025]  図２は、ワイヤレス通信システム１００内で用いられるワイヤレスデバイス２０２において利用されうる様々なコンポーネントを例示する。ワイヤレスデバイス２０２は、ここに説明される様々な方法をインプリメントするように構成されうるデバイスの例である。ワイヤレスデバイス２０２は、基地局１０４またはユーザ端末１０６でありうる。
【００２１】
[0026]  ワイヤレスデバイス２０２は、ワイヤレスデバイス２０２の動作を制御するプロセッサ２０４を含みうる。プロセッサ２０４はまた、中央処理ユニット（ＣＰＵ）とも称されうる。読取専用メモリ（ＲＯＭ）およびランダムアクセスメモリ（ＲＡＭ）の両方を含みうるメモリ２０６は、プロセッサ２０４に命令およびデータを提供する。メモリ２０６の一部分はまた、不揮発性ランダムアクセスメモリ（ＮＶＲＡＭ）を含みうる。プロセッサ２０４は通常、メモリ２０６内に記憶されたプログラム命令に基づいて論理演算および算術演算を行う。メモリ２０６における命令は、ここに説明された方法をインプリメントするように実行可能でありうる。
【００２２】
[0027]  ワイヤレスデバイス２０２はまた、ワイヤレスデバイス２０２および遠隔ロケーション間でデータの送信および受信を許すための送信機２１０および受信機２１２を含む筐体２０８を含みうる。送信機２１０および受信機２１２は、トランシーバ２１４に組み合わされうる。アンテナ２１６は、筐体２０８に取り付けられ、トランシーバ２１４に電気的に結合されうる。ワイヤレスデバイス２０２はまた、（示されていない）複数の送信機、複数の受信機、複数のトランシーバ、および／または複数のアンテナを含みうる。
【００２３】
[0028]  ワイヤレスデバイス２０２はまた、トランシーバ２１４によって受信された信号のレベルを検出して定量化することを目指して使用されうる信号検出器２１８も含みうる。信号検出器２１８は、総エネルギー、疑似雑音（ＰＮ）チップごとのパイロットエネルギー、電力スペクトル密度、および他の信号のような信号を検出しうる。ワイヤレスデバイス２０２はまた、信号を処理する際の使用のために、デジタル信号プロセッサ（ＤＳＰ）２２０を含みうる。
【００２４】
[0029]  ワイヤレスデバイス２０２の様々なコンポーネントは、データバスに加えて、電力バス、制御信号バス、およびステータス信号バスを含みうるバスシステム２２２によって一緒に結合されうる。
【００２５】
[0030]  図３は、ＯＦＤＭ／ＯＤＦＭＡを利用するワイヤレス通信システム１００内で使用されうる送信機３０２の例を例示する。送信機３０２の各部分は、ワイヤレスデバイス２０２の送信機２１０にインプリメントされうる。送信機３０２は、ダウンリンク１０８上でユーザ端末１０６にデータ３０６を送信するために基地局１０４にインプリメントされうる。送信機３０２はまた、アップリンク１１０上で基地局１０４にデータ３０６を送信するためにユーザ端末１０６にインプリメントされうる。
【００２６】
[0031]  送信されるべきデータ３０６は、直列−並列（Ｓ／Ｐ）コンバータ３０８への入力として提供されながら示される。Ｓ／Ｐコンバータ３０８は、送信データをＮ個の並列データストリーム３１０に分けうる。
【００２７】
[0032]  Ｎ個の並列データストリーム３１０は次いで、マッパ（mapper）３１２への入力として提供されうる。マッパ３１２は、Ｎ個の並列データストリーム３１０をＮ個のコンスタレーションポイント（constellation points）上にマッピングしうる。マッピングは、２位相偏移変調（ＢＰＳＫ）、４位相偏移変調（ＱＰＳＫ）、８位相偏移変調（８ＰＳＫ）、直交振幅変調（ＱＡＭ）、および類似したもののような、いくつかの変調コンスタレーションを使用して行われうる。したがって、マッパ３１２は、Ｎ個の並列シンボルストリーム３１６を出力し、それぞれのシンボルストリーム３１６は、逆フーリエ高速変換（ＩＦＦＴ）３２０のＮ個の直交サブキャリアのうちの１つに対応している。これらのＮ個の並列シンボルストリーム３１６は、周波数領域において表され、ＩＦＦＴコンポーネント３２０によってＮ個の並列時間領域サンプルストリーム３１８に変換されうる。
【００２８】
[0033]  用語についての簡単な注釈がここに提供されるだろう。周波数領域におけるＮ個の並列変調は、周波数領域におけるＮ個の変調シンボルに等しく、それは周波数領域におけるＮ個のマッピングおよびＮポイントＩＦＦＴ（N mapping and N-point IFFT）に等しく、それは時間領域における１つの（有用な）ＯＦＤＭシンボルに等しく、それは時間領域におけるＮ個のサンプルに等しい。時間領域における１つのＯＦＤＭシンボル、Ｎｓは、Ｎｃｐ（ＯＦＤＭシンボルごとのガードサンプル（guard samples）の数）＋Ｎ（ＯＦＤＭシンボルごとの有用なサンプルの数）に等しい。
【００２９】
[0034]  Ｎ個の並列時間領域サンプルストリーム３１８は、並列−直列（Ｐ／Ｓ）コンバータ３２４によって、ＯＦＤＭ／ＯＦＤＭＡシンボルストリーム３２２に変換されうる。ガード挿入コンポーネント３２６は、ＯＦＤＭ／ＯＦＤＭＡシンボルストリーム３２２における連続的なＯＦＤＭ／ＯＦＤＭＡシンボルの間にガードインターバルを挿入しうる。ガード挿入コンポーネント３２６の出力は、次いで、無線周波数（ＲＦ）フロントエンド３２８によって所望の送信周波数帯域にアップコンバートされうる。アンテナ３３０は、次いで、結果として生じる信号３３２を送信しうる。
【００３０】
[0035]  図３はまた、ＯＦＤＭ／ＯＤＦＭＡを利用するワイヤレスデバイス２０２内で使用されうる受信機３０４の例も例示する。受信機３０４の各部分は、ワイヤレスデバイス２０２の受信機２１２にインプリメントされうる。受信機３０４は、ダウンリンク１０８上で基地局１０４からデータ３０６を受信するためにユーザ端末１０６にインプリメントされうる。受信機３０４はまた、アップリンク１１０上でユーザ端末１０６からデータ３０６を受信するために基地局１０４にインプリメントされうる。
【００３１】
[0036]  送信された信号３３２は、ワイヤレスチャネル３３４を介して伝わることが示される。信号３３２’がアンテナ３３０’によって受信されると、受信された信号３３２’はＲＦフロントエンド３２８’によって、ベースバンド信号にダウンコンバートされうる。ガード除去コンポーネント３２６’は、次いで、ガード挿入コンポーネント３２６によって、ＯＦＤＭ／ＯＦＤＭＡシンボルの間に挿入されたガードインターバルを除去しうる。
【００３２】
[0037]  ガード除去コンポーネント３２６’の出力は、Ｓ／Ｐコンバータ３２４’に提供されうる。Ｓ／Ｐコンバータ３２４’は、ＯＦＤＭ／ＯＦＤＭＡシンボルストリーム３２２’をＮ個の並列時間領域シンボルストリーム３１８’に分割し、そのそれぞれは、Ｎ個の直交サブキャリアのうちの１つに対応する。高速フーリエ変換（ＦＦＴ）コンポーネント３２０’は、Ｎ個の並列時間領域シンボルストリーム３１８’を周波数領域に変換し、Ｎ個の並列周波数領域シンボルストリーム３１６’を出力しうる。
【００３３】
[0038]  デマッパ（demapper）３１２’は、マッパ３１２によって行われたシンボルマッピング動作の逆を行うため、Ｎ個の並列データストリーム３１０’を出力しうる。Ｐ／Ｓコンバータ３０８’は、Ｎ個の並列データストリーム３１０’をシングルデータストリーム３０６’に組み合わせうる。理想的には（ideally）、このデータストリーム３０６’は、送信機３０２への入力として提供されたデータ３０６に対応する。要素３０８’、３１０’、３１２’、３１６’、３２０’、３１８’、および３２４’は、ベースバンドプロセッサにおいて全て見つけることができることに留意されたい。
【００３４】
ワイヤレスネットワークにおける省電力モードを判定するための実例的な方法、および省電力モードに入るための実例的な方法
[0039]  本開示のある特定の態様は、ワイヤレスネットワークにおけるモバイル局（ＭＳ）のために省電力モードを選択するための方法および装置を提示する。省電力モードは、既定の期間の間にＭＳで観測されるトラフィックの量および種類に基づいて選択されうる。
【００３５】
[0040]  ここに提供される技法は、異なるレベルの省電力状態を有する様々なワイヤレスネットワークにおいて使用されうる。
【００３６】
[0041]  例えば、ワイヤレスネットワーク（例えば、ＷｉＭＡＸ）におけるモバイル局の電力消費を低減するために、様々なワイヤレス規格（例えば、ＩＥＥＥ８０２．１６ｅ）が複数の省電力状態を定義づけしうる。例えば、第１の低電力状態は、１つまたは複数のコンポーネントが、時間のいくらかの割合の間、パワーダウンされるスリープモードに対応し、それはスリープウィンドウ（sleep window）または「利用不可能（unavailable）」な期間と称されうる。第２の低電力状態は、追加のコンポーネントがパワーダウンされ、および／またはコンポーネントが、第１の低電力状態と比較してより長い時間の間パワーダウンされる、より深い低電力状態（deeper low power state）に対応しうる。他のワイヤレスネットワークプロトコルは、類似したレベルまたは程度の、より低い電力状態を有しうる。
【００３７】
[0042]  本開示のある特定の態様は、トラフィックが少ない時に、ＭＳのために第１の低電力状態と第２の低電力状態（例えば、スリープモードまたはアイドルモード）との間で選択するための方法を提案する。一般的に、サービス提供中の基地局（ＢＳ）またはモバイル局の一方が、省電力モードをトリガしうる。
【００３８】
[0043]  図４は、ＭＳのために低電力状態間で選択するための実例的な動作４００を例示する。上記のように、この動作はＭＳによって、またはサービス提供中のＢＳによって行われうる。例えば、サービス提供中のＢＳはＭＳのために低電力状態の選択を行い、次いで、選択された低電力状態に入るようにＭＳに命令しうる。
【００３９】
[0044]  ４０２では、ネットワークにおけるデータトラフィックを監視することによって、その動作が開始する。４０４では、特定の種類のデータトラフィックが所定の継続時間の間に観測されたかが、低い総データトラフィックの期間中に判定される。４０６では、その判定に基づいて、第１の低電力状態または第２の低電力状態に入ることをトリガすべきかどうかの決定がなされる。
【００４０】
[0045]  この種類のトラフィックは、メンテナンスまたは管理目的（制御トラフィック）のためではないデータトラフィックを指す「リアルデータトラフィック」に対応しうる。
【００４１】
[0046]  ＷｉＭＡＸのようないくつかのワイヤレス規格では、接続識別（ＣＩＤ：connection identification）が、ＭＳおよびＢＳ間の物理的なトラフィックパスを識別するために使用されうる。リアルデータトラフィック（例えば、管理およびメンテナンスの目的に向けられたトラフィックを除く）は、ユニキャストおよびマルチキャストのデータトラフィックを含むアップリンク（ＵＬ）およびダウンリンク（ＤＬ）データトラフィックＣＩＤによって識別されうる。ＣＩＤを使用して、ある特定の態様は、どのようにＭＳ開始のスリープモードまたはアイドルモードをトリガすべきかを決定する。
【００４２】
[0047]  ある期間の間、ＭＳはデータトラフィックを何も観測しないこともあり、または、データトラフィックが低いこともある。ＭＳは、既定の期間にいずれかの有効なダウンリンクまたはアップリンクのユニキャストあるいはマルチキャストＣＩＤがあるかを周期的にチェックしうる。ある特定の態様では、ＭＳがいずれかのＤＬ／ＵＬのユニキャストまたはマルチキャストＣＩＤを既定の期間の間に観測した場合、ＭＳはＭＳ開始のスリープモードをトリガしうる。既定の期間の間にＭＳがいずれのＤＬ／ＵＬのユニキャストまたはマルチキャストＣＩＤも観測しない場合、ＭＳはＭＳ開始のアイドルモードをトリガしうる。
【００４３】
[0048]  図５は、低電力状態が本開示のある特定の態様にしたがって選択されるＭＳについての実例的なタイミング図５００を例示する。
【００４４】
[0049]  例示されているように、ＭＳ５０６は、（例えば、利用可能なウィンドウ５０２の間）ＢＳからデータトラフィックを受信するために利用可能でありうる。ＢＳからのリアルデータトラフィックが何もないままいくらかの時間が経過した後（例えば、５１２）、ＭＳはスリープモードを開始しうる。ある特定の態様では、ＭＳがスリープモードに入ると、ＭＳはスリープタイマ５０８をスタートしうる。スリープタイマは既定の期間の間、起動するように構成されうる。スリープタイマが時間切れになる前の任意の時間に、スリープモードの動作が停止された場合、スリープタイマは削除（deleted）されうる。スリープモードの動作が停止されず、スリープタイマが既定の期間後に時間切れになった場合（例えば、５０９）、ＭＳはアイドルモード５１０をトリガしうる。
【００４５】
[0050]  別の態様では、スリープタイマが起動している間、ＭＳは、スリープウィンドウ５０４（例えば、ＭＳが利用不可能であるウィンドウ）のサイズの経過を追跡することができる。スリープウィンドウのサイズがある特定の回数分継続して増加する場合、ＭＳはスリープタイマを削除し、アイドルモードをトリガしうる。一般的に、スリープウィンドウのそれぞれの時間サイズは固定量または可変量だけ増加しうる。例えば、カウンタが、スリープウィンドウのサイズが増加する回数の経過を追跡するために使用されうる。カウンタは、スリープウィンドウのサイズが増加するごとに、その前の値に１を付加しうる。カウンタが既定のしきい値に達した場合、ＭＳはアイドルモードをトリガするための手順をスタートしうる。スリープウィンドウのサイズが減少すると、カウンタはゼロにリセットされうる。
【００４６】
[0051]  いくつかの場合において、低電力状態は、デバイスがアウェイク（awake）かつリスニング（listening）である時間に対する、デバイスが（コンポーネントがパワーダウンされたまま）低電力状態にある時間の量を表すパラメータに基づいて、選択されうる。
【００４７】
[0052]  例えば、スリープ比率（sleep ratio）は、以下のように、それぞれのスリープサイクルについて定義づけられうる。
【数１】
0005964444.tif 000002
【００４８】
ただし、ｓｒはスリープ比率であり、ｌｗはリスニングウィンドウ（例えば、ＭＳが利用可能である時間のウィンドウ）のサイズであり、ｓｗはスリープウィンドウ（例えば、ＭＳが利用不可能である時間のウィンドウ）のサイズである。
【００４９】
既定の期間の間、ＭＳがスリープモードにあり、スリープ比率がしきい値より高い場合（例えば、９５％）、ＭＳはアイドルモードをトリガしうる（例えば、より多くの電力を節約するためにディープスリープ（deep sleep）の状態になる）。
【００５０】
[0053]  図６は、本開示のある特定の態様にしたがった、ワイヤレスネットワークにおける省電力モードを選択するための実例的な動作６００を例示する。動作６００は、図４に示される、より一般的な動作４００のインプリメンテーション例と考慮されうる。
【００５１】
[0054]  ６０２において、デバイス（例えば、ＭＳまたはＢＳ）は、ネットワーク上のデータトラフィックを監視しうる。６０４では、低いデータトラフィックが観測された場合に、デバイスは何らかのリアルデータトラフィックが既定の継続時間の間にあったかを判定しうる。６０６では、デバイスが、何らかのリアルデータトラフィックが既定の継続時間の間に観測されたかをみるためにチェックしうる。６０８では、何らかのリアルデータトラフィックが既定の継続時間の間に観測された場合に、デバイスはスリープモードに入りうる。６１０では、リアルデータトラフィックが既定の継続時間の間に何も観測されない場合に、デバイスはアイドルモードに入りうる。
【００５２】
[0055]  ある特定の態様によると、ＭＳデバイスは、第１の低電力状態（例えば、スリープモード）に入る時にタイマ（例えば、スリープタイマ）を初期化し、タイマが時間切れになる時に第２の低電力状態（例えば、アイドルモード）に入ることをトリガしうる。
【００５３】
[0056]  デバイスは、スリープモードの動作が停止されるとスリープタイマを削除しうる。先に説明されたように、デバイスはまた、スリープタイマが起動している間、スリープウィンドウのサイズを追跡するためにカウンタを初期化し、カウンタが既定のしきい値に達するとアイドルモードに入りうる。
【００５４】
[0057]  ここに説明された方法は、ＭＳが、その電池寿命を増加させるために省電力モードを効率的に選択することを許しうる。提案された方法は、複数の省電力モード（例えば、ＷｉＭＡＸ、ロングタームエボリューション（ＬＴＥ）、ウルトラモバイルブロードバンド（ＵＭＢ）、および類似したもの）をサポートするあらゆるワイヤレス技術において使用されうる。一般的に、デバイスは２つまたは複数の省電力モードを有しうる。提案された方法は、任意の数の省電力モードをサポートするためのデバイスによって使用されうる。
【００５５】
[0058]  本開示に関連して説明された様々な例示的な論理ブロック、モジュール、および回路は、ここに説明された機能を行うように設計された、汎用プロセッサ、デジタルシグナルプロセッサ（ＤＳＰ）、特定用途向け集積回路（ＡＳＩＣ）、フィールドプログラマブルゲートアレイシグナル（ＦＰＧＡ）、または他のプログラマブル論理デバイス（ＰＬＤ）、離散ゲートまたはトランジスタ論理、離散ハードウェアコンポーネント、またはそれらの任意の組み合わせを用いて、インプリメントまたは行われうる。汎用プロセッサは、マイクロプロセッサでありうるが、その代わりに、プロセッサは、商業的に利用可能なあらゆるプロセッサ、コントローラ、マイクロコントローラ、またはステートマシンでありうる。プロセッサはまた、例えば、ＤＳＰとマイクロプロセッサとの組み合わせ、複数のマイクロプロセッサ、ＤＳＰコアと関連する１つまたは複数のマイクロプロセッサ、または、任意の他のこのような構成のような、コンピューティングデバイスの組み合わせとしてインプリメントされうる。
【００５６】
[0059]  本開示に関連して説明された方法またはアルゴリズムのステップは、ハードウェアで直接的に、プロセッサによって実行されるソフトウェアモジュールで、またはその２つの組み合わせで、具現化されうる。ソフトウェアモジュールは、当該技術で知られている任意の形態の記憶媒体に存在しうる。使用されうる記憶媒体のうちのいくつかの例は、ランダムアクセスメモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭなどを含む。ソフトウェアモジュールは、単一の命令または多くの命令を備え、いくつかの異なるコードセグメントにわたって、異なるプログラム間で、および複数の記憶媒体にわたって、分散されうる。記憶媒体は、プロセッサが記憶媒体から情報を読み取り、記憶媒体に情報を書き込むことができるように、プロセッサに結合されうる。その代わりに、記憶媒体はプロセッサに組み込まれうる。
【００５７】
[0060]  ここに開示された方法は、説明された方法を達成するための１つまたは複数のステップまたはアクションを備える。方法のステップおよび／またはアクションは、本願の特許請求の範囲から逸脱せずに、互いに置き換えられうる。言い換えると、ステップまたはアクションの特定の順序が指定されていない限り、特定のステップおよび／またはアクションの順序および／または使用は、特許請求の範囲から逸脱せずに変更されうる。
【００５８】
[0061]  説明された機能は、ハードウェア、ソフトウェア、ファームウェア、またはそれらの任意の組み合わせにおいてインプリメントされうる。ソフトウェアにインプリメントされる場合、機能は、コンピュータ読取可能媒体上に、１つまたは複数の命令として記憶されうる。記憶媒体は、コンピュータによってアクセスできる任意の利用可能な媒体でありうる。限定ではなく例として、そのようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶デバイスまたは他の磁気記憶デバイス、あるいはコンピュータによってアクセスできる命令またはデータ構造の形態で所望のプログラムコードを搬送または記憶するために使用されることができる任意の他の媒体を備えることができる。ここで使用されるようなディスク（disk）およびディスク（disc）は、コンパクトディスク（ＣＤ）、レーザーディスク（登録商標）、光ディスク、デジタルバーサタイルディスク（ＤＶＤ）、フロッピー（登録商標）ディスク、およびブルーレイ（登録商標）ディスクを含み、ディスク（disk）は通常、磁気的にデータを再生するが、ディスク（disc）は、レーザーを用いて光学的にデータを再生する。他の例およびインプリメンテーションは、本開示および特許請求の範囲の趣旨および範囲内にある。例えば、ソフトウェアの本質により、上記で説明された機能は、プロセッサによって実行されるソフトウェア、ハードウェア、ファームウェア、ハードワイヤリング、またはこれらの任意の組み合わせを使用してインプリメントされることができる。機能をインプリメントする特徴はまた、様々な位置において物理的に配置され、それは、機能の各部分が異なる物理的な位置においてインプリメントされるように分散されることを含む。また、ここに使用されるように、特許請求の範囲を含む、「のうちの少なくとも１つ」で始まる項目のリストで使用される「または（or）」は、例えば「Ａ、Ｂ、またはＣのうちの少なくとも１つ」のリストが、Ａ、またはＢ、またはＣ、またはＡＢ、またはＡＣ、またはＢＣ、またはＡＢＣ（すなわち、Ａ、およびＢ、およびＣ）を意味するように離接的なリスト（disjunctive list）を示す。
【００５９】
[0062]  ソフトウェアまたは命令はまた、伝送媒体を介して送信されうる。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバーケーブル、ツイストペア、ＤＳＬ、または赤外線、無線、およびマイクロ波のようなワイヤレス技術は、伝送媒体の定義に含まれる。
【００６０】
[0063]  さらに、ここに説明された方法および技法を行うためのモジュールおよび／または他の適切な手段が、ダウンロードされうること、および／または、そうでなければ、適宜、ユーザ端末および／または基地局によって、取得されうることが理解されるべきである。例えば、そのようなデバイスは、ここに説明された方法を行うための手段の転送を容易にするために、サーバに結合されることができる。代わりとして、ここに説明される様々な方法は、ユーザ端末および／または基地局が、記憶手段をデバイスに結合または提供して様々な方法を取得することができるように、記憶手段（例えば、ＲＡＭ、ＲＯＭ、コンパクトディスク（ＣＤ）またはフロッピーディスクのような物理記憶媒体、など）を介して提供されることができる。さらに、ここに説明された方法および技法をデバイスに提供するための任意の他の適した技法が利用されることができる。
【００６１】
[0064]  本願の特許請求の範囲が、上記に例示された、まさにその構成およびコンポーネントに限定されないことが理解されるべきである。様々な変更、改変、および変形が、本願の特許請求の範囲から逸脱せずに、上記に説明された方法および装置の配置、動作、および詳細においてなされうる。
以下に、本願出願の当初の特許請求の範囲に記載された発明を付記する。
［Ｃ１］
ワイヤレスデバイスの省電力モードを選択するための方法であって、
ネットワークにおけるデータトラフィックを監視することと、
特定の種類のデータトラフィックが所定の継続時間の間に観測されたかを、低い総データトラフィックの期間中に判定することと、
前記判定に基づいて、第１の低電力状態または第２の低電力状態に入ることをトリガすべきかどうかを決定することと
を備える方法。
［Ｃ２］
特定の種類のデータトラフィックが既定の継続時間にわたって観測されたかを判定することは、
前記種類のデータトラフィックの検出を識別するために、１つまたは複数のデータトラフィック接続識別（ＣＩＤ）を調べること
を備える、請求項１に記載の方法。
［Ｃ３］
前記第１の低電力状態は、前記ワイヤレスデバイスのうちの１つまたは複数のコンポーネントがパワーダウンされる低電力状態を備え、
前記第２の低電力状態は、前記第１の低電力状態においてパワーダウンされた前記１つまたは複数のコンポーネントに加えて、前記ワイヤレスデバイスのうちの１つまたは複数のコンポーネントがパワーダウンされる、前記第１の低電力状態よりも深い低電力状態を備える、
請求項１に記載の方法。
［Ｃ４］
前記特定の種類のデータトラフィックが、管理またはメンテナンス目的のどちらのためでもないトラフィックを備える、請求項３に記載の方法。
［Ｃ５］
前記判定に基づいて、第１の低電力状態または第２の低電力状態に入るべきかどうかを決定することは、
前記特定の種類のデータトラフィックが前記所定の継続時間の間に観測された場合に、前記第１の低電力状態に入るように決定することか、または、
前記特定の種類のデータトラフィックが前記所定の継続時間の間に観測されない場合に、前記第２の低電力状態に入るように決定すること、
を備える、請求項３に記載の方法。
［Ｃ６］
前記第１の低電力状態に入る時にタイマを初期化することと、
前記特定の種類のデータトラフィックを観測せずに前記タイマが終了した場合に、前記第２の低電力状態に入ることをトリガすることと
をさらに備える、請求項３に記載の方法。
［Ｃ７］
前記第１の低電力状態と関連付けられたスリープウィンドウのサイズを追跡するためにカウンタを初期化することと、
前記カウンタが所定のしきい値に達した場合に前記第２の低電力状態に入ることと
をさらに備える、請求項３に記載の方法。
［Ｃ８］
前記スリープウィンドウのサイズが増加するごとに前記カウンタをインクリメントすることと、
前記スリープウィンドウの前記サイズが減少した場合に前記カウンタをゼロにリセットすることと
をさらに備える、請求項７に記載の方法。
［Ｃ９］
前記第１の低電力状態と関連付けられた利用可能なウィンドウのサイズおよびスリープウィンドウの前記サイズに少なくとも基づいてスリープ比率を判定することと、
前記スリープ比率がしきい値より大きいか等しい場合に、前記第２の低電力状態に入ることと
をさらに備える、請求項３に記載の方法。
［Ｃ１０］
ワイヤレスデバイスの省電力モードを選択するための装置であって、
ネットワークにおけるデータトラフィックを監視するための手段と、
特定の種類のデータトラフィックが所定の継続時間の間に観測されたかを、低い総データトラフィックの期間中に判定するための手段と、
前記判定に基づいて、第１の低電力状態または第２の低電力状態に入ることをトリガすべきかどうかを決定するための手段と
を備える装置。
［Ｃ１１］
特定の種類のデータトラフィックが既定の継続時間にわたって観測されたかを判定するための前記手段は、
前記種類のデータトラフィックの検出を識別するために、１つまたは複数のデータトラフィック接続識別（ＣＩＤ）を調べるための手段
を備える、請求項１０に記載の装置。
［Ｃ１２］
前記第１の低電力状態は、前記ワイヤレスデバイスのうちの１つまたは複数のコンポーネントがパワーダウンされる低電力状態を備え、
前記第２の低電力状態は、前記第１の低電力状態においてパワーダウンされた前記１つまたは複数のコンポーネントに加えて、前記ワイヤレスデバイスのうちの１つまたは複数のコンポーネントがパワーダウンされる、前記第１の低電力状態よりも深い低電力状態を備える、
請求項１０に記載の装置。
［Ｃ１３］
前記特定の種類のデータトラフィックが、管理またはメンテナンス目的のどちらのためでもないトラフィックを備える、請求項１２に記載の装置。
［Ｃ１４］
前記判定に基づいて、第１の低電力状態または第２の低電力状態に入るべきかどうかを決定するための前記手段は、
前記特定の種類のデータトラフィックが前記所定の継続時間の間に観測された場合に、前記第１の低電力状態に入るように決定するための手段か、または、
前記特定の種類のデータトラフィックが前記所定の継続時間の間に観測されない場合に、前記第２の低電力状態に入るように決定するための手段
を備える、請求項１２に記載の装置。
［Ｃ１５］
前記第１の低電力状態に入る時にタイマを初期化するための手段と、
前記特定の種類のデータトラフィックを観測せずに前記タイマが終了した場合に、前記第２の低電力状態に入ることをトリガするための手段と
をさらに備える、請求項１２に記載の装置。
［Ｃ１６］
前記第１の低電力状態と関連付けられたスリープウィンドウのサイズを追跡するためにカウンタを初期化するための手段と、
前記カウンタが所定のしきい値に達した場合に前記第２の低電力状態に入るための手段と
をさらに備える、請求項１２に記載の装置。
［Ｃ１７］
前記スリープウィンドウのサイズが増加するごとに前記カウンタをインクリメントするための手段と、
前記スリープウィンドウの前記サイズが減少した場合に前記カウンタをゼロにリセットするための手段と
をさらに備える、請求項１６に記載の装置。
［Ｃ１８］
前記第１の低電力状態と関連付けられた利用可能なウィンドウのサイズおよびスリープウィンドウの前記サイズに少なくとも基づいてスリープ比率を判定するための手段と、
前記スリープ比率がしきい値より大きいか等しい場合に、前記第２の低電力状態に入るための手段と
をさらに備える、請求項１２に記載の装置。
［Ｃ１９］
ワイヤレスデバイスの省電力モードを選択するための装置であって、
ネットワークにおけるデータトラフィックを監視し、
特定の種類のデータトラフィックが所定の継続時間の間に観測されたかを、低い総データトラフィックの期間中に判定し、
前記判定に基づいて、第１の低電力状態または第２の低電力状態に入ることをトリガすべきかどうかを決定する
ように構成された少なくとも１つのプロセッサと、
前記少なくとも１つのプロセッサと結合されたメモリと
を備える装置。
［Ｃ２０］
記憶された命令を有するコンピュータ読取可能媒体を備えるコンピュータプログラム製品であって、前記命令が、
ネットワークにおけるデータトラフィックを監視し、
特定の種類のデータトラフィックが所定の継続時間の間に観測されたかを、低い総データトラフィックの期間中に判定し、
前記判定に基づいて、第１の低電力状態または第２の低電力状態に入ることをトリガすべきかどうかを決定する
ために１つまたは複数のプロセッサによって実行可能である、コンピュータプログラム製品。
【図１】
0005964444.tif 000003
【図２】
0005964444.tif 000004
【図３】
0005964444.tif 000005
【図４】
0005964444.tif 000006
【図５】
0005964444.tif 000007
【図６】
0005964444.tif 000008